【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
第２の非ルアーコネクタに接続するための非ルアーコネクタであって、
遠位壁を含む開口した遠位端と、流体を保持するための流体チャンバを画定する内面を含む側壁と、前記遠位壁から遠位方向に延びる細長い先端とを有する容器を備え、前記細長い先端が、前記チャンバへの出入りを可能にする開口部、外面、および遠位端を含み、前記外面が、０．１５４５インチ（３．９２５ｍｍ）以下の外側の断面の寸法を有することを特徴とする非ルアーコネクタ。
【請求項２】
前記細長い先端の前記遠位端で測定した前記細長い先端の外側の断面の寸法が、約０．１００インチ（２．５４０ｍｍ）から約０．１４５インチ（３．６８３ｍｍ）の範囲内であることを特徴とする請求項１に記載の非ルアーコネクタ。
【請求項３】
前記細長い先端の前記遠位端で測定した前記細長い先端の外側の断面の寸法が、約０．１３０６インチ（３．３１７ｍｍ）から約０．１３２６インチ（３．３６８ｍｍ）の範囲内であることを特徴とする請求項１に記載の非ルアーコネクタ。
【請求項４】
前記細長い先端は、前記先端の遠位端から前記遠位壁まで測定した長さが約０．２００インチ（５．０８０ｍｍ）から約０．５００インチ（１２．７０ｍｍ）の範囲内であることを特徴とする請求項１に記載の非ルアーコネクタ。
【請求項５】
前記細長い先端の前記外面が、近位方向から遠位方向に減少する６％未満の先細りを有することを特徴とする請求項１に記載の非ルアーコネクタ。
【請求項６】
前記細長い先端の前記外面が、約３．０％から約５．９％の範囲内の近位方向から遠位方向に減少する先細りを有することを特徴とする請求項５に記載の非ルアーコネクタ。
【請求項７】
前記細長い先端の前記外面が、近位方向から遠位方向に減少する６％を超える先細りを有することを特徴とする請求項１に記載の非ルアーコネクタ。
【請求項８】
前記容器の前記細長い先端に取り外し可能に取り付けられる雌の非ルアーコネクタをさらに備え、前記雌の非ルアーコネクタが、ハブ本体であって、開口した近位端、０．１６８インチ（４．２７０ｍｍ）未満の前記開口した近位端で測定した内側の断面の寸法を有する空洞を画定する内部表面、およびハブ本体に取り付けられる針カニューレを含むハブ本体を備え、前記針カニューレが、前記容器の前記開口部に流体連通している開口した近位端を含むことを特徴とする請求項１に記載の非ルアーコネクタ。
【請求項９】
前記ハブ本体の前記空洞は、近位端における内側の断面の寸法が約０．１１０インチ（２．７９４ｍｍ）から約０．１５０インチ（３．８１０ｍｍ）の範囲内であることを特徴とする請求項８に記載の非ルアーコネクタ。
【請求項１０】
前記ハブ本体の前記空洞は、前記開口した近位端で測定した内側の断面の寸法が約０．１４１７インチ（３．５９９ｍｍ）から約０．１４３７インチ（３．６５０ｍｍ）の範囲内であることを特徴とする請求項９に記載の非ルアーコネクタ。
【請求項１１】
前記空洞は、長さが約０．２５０インチ（６．３５０ｍｍ）から約０．５００インチ（１２．７０ｍｍ）の範囲内であることを特徴とする請求項８に記載の非ルアーコネクタ。
【請求項１２】
前記空洞の前記内部表面が、近位方向から遠位方向に６％未満の先細りを有することを特徴とする請求項８に記載の非ルアーコネクタ。
【請求項１３】
前記空洞の前記内部表面が、約３％から約５．９％の範囲の近位方向から遠位方向に先細りを有することを特徴とする請求項１２に記載の非ルアーコネクタ。
【請求項１４】
前記空洞の前記内部表面が、近位方向から遠位方向に６％を超える先細りを有することを特徴とする請求項８に記載の非ルアーコネクタ。
【請求項１５】
前記細長い先端が、円形の断面、正方形の断面、および三角形の断面の形状のうちの１つを有することを特徴とする請求項１に記載の非ルアーコネクタ。
【請求項１６】
円形の断面、正方形の断面、および三角形の断面の形状のうちの１つを有する空洞と、前記細長い先端との液密封止を形成するように選択される内側の断面の寸法とを有する雌の非ルアーコネクタをさらに備えることを特徴とする請求項８に記載の非ルアーコネクタ。
【請求項１７】
前記空洞の前記内側の断面の寸法が、前記細長い先端との液密封止を形成するように選択されることを特徴とする請求項８に記載の非ルアーコネクタ。
【請求項１８】
雌の非ルアーコネクタに接続するための非ルアーコネクタであって、
遠位壁を含む開口した遠位端、流体を保持するための流体チャンバを画定する内面を含む側壁、前記遠位壁から遠位方向に延びる細長い先端であって、前記チャンバへの出入りを可能にする開口部を含む細長い先端を有する容器と、前記開口した遠位端に配設され、標準規格のルアーコネクタと前記容器の液密の接続を防ぐようになっている非ルアー要素とを備えることを特徴とする非ルアーコネクタ。
【請求項１９】
前記細長い先端が外面を備え、非ルアー要素が、前記細長い先端の前記外面に配設されることを特徴とする請求項１８に記載の非ルアーコネクタ。
【請求項２０】
前記非ルアー要素は、前記細長い先端の外側の断面の寸法、および標準規格の雌ルアーコネクタの内側の断面の寸法より大きい外側の断面の寸法を有する外部表面を備え、
前記非ルアー要素の前記外側の断面の寸法が、標準規格の雌ルアーコネクタと前記細長い先端の接続を防ぐことを特徴とする請求項１９に記載の非ルアーコネクタ。
【請求項２１】
前記非ルアー要素の前記外部表面が、円形の断面、正方形の断面、および三角形の断面のうちの１つを有することを特徴とする請求項２０に記載の非ルアーコネクタ。
【請求項２２】
前記容器の前記細長い先端に取り外し可能に取り付けられる雌の非ルアーコネクタをさらに備え、前記非ルアーコネクタが、ハブ本体であって、開口した近位端、前記雌の非ルアーコネクタと前記細長い先端の液密の接続のために寸法を決められた空洞を画定する内部表面、およびハブ本体に取り付けられる針カニューレを含むハブ本体を備え、前記針カニューレが、前記容器の前記開口部に流体連通している開口した遠位端を含むことを特徴とする請求項２０に記載の非ルアーコネクタ。
【請求項２３】
前記空洞の前記断面の寸法が、前記先端の前記外面との液密封止を形成するように選択されることを特徴とする請求項２２に記載の非ルアーコネクタ。
【請求項２４】
前記非ルアー要素が、前記容器の前記遠位壁から遠位方向に延び、前記細長い先端の周りに同軸に配設され、前記非ルアー要素が、前記細長い先端と前記雌の非ルアーコネクタの一部を受け入れる前記非ルアー要素の間のチャンネルを形成することを特徴とする請求項１８に記載の非ルアーコネクタ。
【請求項２５】
前記非ルアー要素の内側の断面の寸法が、標準規格の雌ルアーコネクタの内側の断面の寸法より大きく、前記標準規格の雌ルアーコネクタの外側の断面の寸法未満であることを特徴とする請求項２４に記載の非ルアーコネクタ。
【請求項２６】
前記非ルアー要素が、円形の断面、正方形の断面、および三角形の断面のうちの１つを有することを特徴とする請求項２５に記載の非ルアーコネクタ。
【請求項２７】
前記容器の前記細長い先端に取り外し可能に取り付けられる雌の非ルアーコネクタをさらに備え、前記雌の非ルアーコネクタが、ハブ本体であって、開口した近位端、前記雌の非ルアーコネクタと前記細長い先端の液密の接続のために寸法を決められた空洞を画定する内部表面、およびハブ本体に取り付けられる針カニューレを含むハブ本体を備え、前記針カニューレが、前記容器の前記開口部に流体連通している開口した遠位端を含むことを特徴とする請求項２６に記載の非ルアーコネクタ。
【請求項２８】
前記非ルアー要素は、前記チャンネルへの出入りを可能にする少なくとも１つのすき間を備えることを特徴とする請求項２５に記載の非ルアーコネクタ。
【請求項２９】
前記非ルアー要素が、少なくとも２つのすき間を含み、前記２つのすき間の間に湾曲した断面を有することを特徴とする請求項２８に記載の非ルアーコネクタ。
【請求項３０】
前記非ルアー要素が、遠位端および近位端を備え、少なくとも１つのすき間が、前記非ルアー要素の前記遠位端から前記非ルアー要素の前記近位端まで延びることを特徴とする請求項２８に記載の非ルアーコネクタ。
【請求項３１】
前記少なくとも１つのすき間は、前記非ルアーコネクタが、ルアースリップ継ぎ手またはルアーロック継ぎ手を備えるかについての目に見える表示を与えることを特徴とする請求項３０に記載の非ルアーコネクタ。
【請求項３２】
前記少なくとも１つのすき間が、前記非ルアー要素と標準規格の雌ルアーコネクタの間の液密封止の形成を防ぐように選択される寸法を有することを特徴とする請求項３０に記載の非ルアーコネクタ。
【請求項３３】
前記非ルアー要素が、前記細長い先端を通り越して遠位方向に延びる遠位端を含むことを特徴とする請求項２４に記載の非ルアーコネクタ。
【請求項３４】
前記細長い先端が、前記非ルアー要素を通り越して遠位方向に延びる遠位端を含むことを特徴とする請求項２４に記載の非ルアーコネクタ。
【請求項３５】
前記細長い先端が、遠位端を含み、前記非ルアー要素が、前記遠位端に配設され、前記細長い先端と標準規格の雌ルアーコネクタの間の液密封止の形成を防ぐようになっていることを特徴とする請求項１８に記載の非ルアーコネクタ。
【請求項３６】
前記細長い先端が、記遠位端から前記容器の前記遠位壁まで延びる外面を有する本体壁を備え、非ルアー要素が、前記細長い先端の前記遠位端を横切って前記細長い先端の前記本体壁の外面まで前記開口部を延ばす前記細長い先端の前記開口部に流体連通している切り込みを備えることを特徴とする請求項３５に記載の非ルアーコネクタ。
【請求項３７】
前記非ルアー要素が、前記細長い先端の前記遠位端に配設され、前記遠位端の周に沿って互いに隣接し、前記細長い先端の前記開口部を囲む複数の切り込みを備え、前記複数の切り込みが、前記細長い先端の前記遠位端に延びる楔形を有することを特徴とする請求項３５に記載の非ルアーコネクタ。
【請求項３８】
前記容器の前記細長い先端に取り外し可能に取り付けられる雌の非ルアーコネクタをさらに備え、前記雌の非ルアーコネクタが、ハブ本体であって、開口した近位端、前記雌の非ルアーコネクタと前記細長い先端の液密の接続のために寸法を決められた空洞を画定する内部表面、およびハブ本体に取り付けられる針カニューレを含むハブ本体を備え、前記針カニューレが、前記容器の前記開口部に流体連通している開口した遠位端を含むことを特徴とする請求項３６に記載の非ルアーコネクタ。
【請求項３９】
前記雌の非ルアーコネクタを前記容器に取り付けると、前記切り込みが、前記ハブ本体の前記内部表面に接触し、液密封止が前記細長い先端の前記遠位端と前記雌の非ルアーコネクタの間に形成されることを特徴とする請求項３８に記載の非ルアーコネクタ。
【請求項４０】
標準規格の雌ルアーコネクタを前記容器に取り付けると、前記切り込みが、前記標準規格の雌ルアーコネクタの内面からある距離に配設され、前記細長い先端の前記遠位端と前記標準規格の雌ルアーコネクタの間の液密封止の形成を防ぐことを特徴とする請求項３６に記載の非ルアーコネクタ。
【請求項４１】
前記細長い先端は、近位方向から遠位方向に５％の先細りを有する外面と、標準規格の雌ルアーコネクタと前記容器の接続を妨げるように大きさが決定される外側の断面の寸法とを備えることを特徴とする請求項３８に記載の非ルアーコネクタ。
【請求項４２】
前記ハブ本体の内部表面が、近位方向から遠位方向に５％の先細りを有することを特徴とする請求項４１に記載の非ルアーコネクタ。
【請求項４３】
前記非ルアー要素が、前記チャンネルへの出入りを可能にする少なくとも１つのすき間をさらに備えることを特徴とする請求項３６に記載の非ルアーコネクタ。
【請求項４４】
前記少なくとも１つのすき間が、前記遠位端から前記非ルアー要素の前記遠位端と前記非ルアー要素の前記近位端の間を部分的にある距離まで延びることを特徴とする請求項３０に記載の非ルアーコネクタ。
【請求項４５】
薬物送達装置であって、
遠位壁を含む開口した遠位端、流体を保持するための流体チャンバを画定する内面を含む側壁、および前記遠位壁から遠位方向に延びる細長い先端を有する容器であって、前記細長い先端が、前記チャンバへの出入りを可能にする開口部、近位方向から遠位方向に減少する６％未満の先細りを含む内面、および標準規格の雌ルアーコネクタと容器の接続を妨げるように大きさが決定される外側の断面の寸法を含む、容器と、
前記容器の前記細長い先端に取り外し可能に取り付けられる雌の非ルアーコネクタであって、ハブ本体であって、開口した近位端、近位方向から遠位方向に減少する６％未満の先細りを有し、雌の非ルアーコネクタと標準規格の雌ルアーコネクタの接続を妨げるように大きさが決定される断面幅を有する空洞を画定する内部表面、および前記ハブ本体に取り付けられる針カニューレを含むハブ本体を備え、前記針カニューレが、前記容器の前記開口部に流体連通している開口した遠位端を含む、雌の非ルアーコネクタと、
液密封止が、前記雌の非ルアーコネクタと前記容器の間に形成されること、および前記針カニューレが、前記容器の前記開口部に流体連通していることの表示を与える目に見える表示と
を備えることを特徴とする薬物送達装置。